(57)【要約】【課題】フィルムの種類によらずに、簡易かつ確実に保護フィルムを貼り付けることができるフィルム貼付装置、フィルム貼付方法及びフィルムセットを提供する。【解決手段】フィルム貼付装置１０は、電子機器を収容する収容部２０と、スライド移動して携帯電話Ｍの貼付面に保護フィルムを貼付する貼付ユニット３０と、保護フィルムの端部を保持する仮固定部４０と、を備える。貼付ユニット３０は、アウターボックス２２に設置された状態で、ガイド溝２２２に係合したガイドピンを軸にして回転遷移するとともに、インナーボックス２１に収容された携帯電話状をスライド移動する。この貼付ユニット３０の回転及びスライド移動は、図示しないフィルムセットの端部が牽引されることで行われる。【選択図】図２
2016049742.tif 000002
【特許請求の範囲】
【請求項１】
保護フィルムとカバーフィルムとを貼り合わせたフィルムセットから、前記カバーフィルムを剥離して前記保護フィルムを前記電子機器の貼付面に貼付するフィルム貼付装置であって、
前記電子機器を収容する収容部と、
前記収容部の一端側から他端側まで移動して前記電子機器の前記貼付面に前記保護フィルムを貼付する貼付ユニットと、
前記保護フィルムの貼付時に、前記一端側における前記保護フィルムの端部を保持する仮固定部と、を備え、
前記貼付ユニットは、
前記保護フィルムを前記電子機器の前記貼付面に押圧して貼付するローラと、
前記ローラに隣接して設けられ、前記ローラとの間で前記フィルムセットを挟持して、前記一端側における前記カバーフィルムの端部が牽引されることで、前記フィルムセットから前記カバーフィルムを剥離させるシャフトと、
前記一端側における前記カバーフィルムの端部が牽引される際に、前記一端側から前記他端側までの移動をガイドするガイド部と、を備える、
フィルム貼付装置。
【請求項２】
前記貼付ユニットは、
前記一端側において、前記フィルムセットを前記ローラと前記シャフトとの間に挟持させるセット位置と、前記電子機器の前記貼付面へ前記保護フィルムを貼付させる貼付位置と、の間を回動可能に構成され、
前記セット位置において、前記ローラと前記シャフトとにより挟持された前記カバーフィルムの端部が牽引されることで、前記セット位置から前記貼付位置へ回動するように構成された、
請求項１のフィルム貼付装置。
【請求項３】
前記仮固定部は、
前記セット位置と前記貼付位置との間を回動可能に構成され、
前記ローラと前記シャフトとにより挟持された前記カバーフィルムの端部が牽引されることで、前記セット位置から前記貼付位置へ回動するように構成された、
請求項２のフィルム貼付装置。
【請求項４】
前記仮固定部は、前記一端側において前記ローラと着脱自在に係合する係合部を備え、
前記係合部は、
前記貼付ユニットが前記貼付位置から前記セット位置に回動する際に前記ローラと係合するように構成され、
前記セット位置において、前記ローラと前記シャフトとにより挟持された前記カバーフィルムの端部が牽引されると、係合した前記ローラを回動させた後、前記貼付位置において前記ローラとの係合が解除されるように構成された、
請求項３のフィルム貼付装置。
【請求項５】
前記仮固定部は、前記貼付位置において、前記収容部との間に前記フィルムセットを位置決めする位置決め部を備えた、請求項３又は４のフィルム貼付装置。
【請求項６】
前記貼付ユニットは、前記ローラ及び前記シャフトの両端を保持するとともに、前記ガイド部が形成された一対のサイドパネルを備え、
前記ガイド部は、前記一端側における前記貼付ユニットの回動と前記一端側から前記他端側への移動をガイドする第１ガイドピンと、前記貼付位置における貼付ユニットの回動を規制する第２ガイドピンと、を備え、
前記収容部は、前記一端側から前記他端側に向かって、前記第１及び第２ガイドピンがそれぞれ係合する第１及び第２の溝を備えた、
請求項１〜５のいずれか１項に記載のフィルム貼付装置。
【請求項７】
前記シャフトは、棒状部材からなり、前記サイドパネルに対して着脱自在に構成された、請求項６のフィルム貼付装置。
【請求項８】
請求項１〜７のいずれか１項に記載のフィルム貼付装置を用いて行うフィルム貼付方法であって、
前記仮固定部に前記保護フィルムを位置決めして保持させるステップと、
前記ローラと前記シャフトとの間に前記フィルムセットを挟持させるステップと、
前記カバーフィルムの前記牽引により、前記貼付ユニットを前記一端側から前記他端側まで移動させることで、前記ローラにより前記電子機器の貼付面に前記保護フィルムを貼付させるステップと、
を実行するフィルム貼付方法。
【請求項９】
請求項２〜７のいずれか１項に記載のフィルム貼付装置を用いて行うフィルム貼付方法であって、
前記仮固定部に前記保護フィルムを位置決めして保持させるステップと、
前記ローラと前記シャフトとの間に前記フィルムセットを挟持させるステップと、
前記セット位置において、前記ローラと前記シャフトとにより前記略平行に挟持された前記カバーフィルムの端部を牽引し、前記貼付ユニットを前記セット位置から前記貼付位置へ回動させるステップ、
前記カバーフィルムの端部を牽引することで、前記貼付ユニットを前記一端側から前記他端側まで移動させ、前記ローラにより電子機器の貼付面に保護フィルムを貼付させるステップと、
を実行するフィルム貼付方法。
【請求項１０】
請求項１〜７のいずれか１項に記載のフィルム貼付装置に用いるフィルムセットであって、
前記保護フィルムと前記カバーフィルムとを貼り合わせてなり、
前記カバーフィルムには、少なくとも前記一端側において前記保護フィルムと重ならない余剰領域が形成され、
前記余剰領域には、前記仮固定部と前記収容部との間で前記電子機器に対する位置決めを行う位置決め穴が形成されたフィルムセット。
【請求項１１】
前記カバーフィルムは、前記保護フィルムと当接する当接フィルムと、前記保護フィルムとは当接せず着脱自在に取り付けられる取付けフィルムと、からなり、
前記余剰領域は、前記取付けフィルムに形成された請求項１０のフィルムセット。
【発明の詳細な説明】
【技術分野】
【０００１】
本発明は、電子機器の保護フィルムを好適に貼り付けるためのフィルム貼付装置、フィルム貼付方法およびフィルムセットに関する。
【背景技術】
【０００２】
スマートフォン、タブレット端末等の電子機器の貼付面を損傷から防いだり強い反射を抑制したり他人に見られないようにしたりするため、保護フィルムが市場に供給されている。このような保護フィルムは、樹脂フィルムの片面に接着層が形成されており、電子機器の貼付面に貼ることができるようになっている。この保護フィルムは、一般に接着層が形成された面にカバーフィルムを貼り合されてフィルムセットとして市販されており、貼付時には、保護フィルムからカバーフィルムを剥離して用いるようになっている。
【０００３】
ところで、従来、気泡や埃を含むことなく、保護フィルムを電子機器の貼付面に適切に貼り付けるためのフィルム貼付装置が提案されてきた。例えば、特許文献１には、２つのスライド溝、第一収容溝、および第二収容溝を備える収容本体と、ローラフレームにローラセットが設けられた、保護フィルムカバーを押し出すためのローラ装置とを備えたフィルムの貼り付け装置が開示されている。特許文献１に記載の貼り付け装置は、保護フィルムカバーとしては、保護フィルムと底膜（カバーフィルム）の他に、固定部材、固定薄膜、および押分部材を備えている。電子機器を第一収容溝に置き、保護フィルムカバーを第二収容溝に係合させて、ローラ装置を押して２つのスライド溝に沿ってスライドを移動させると、ローラ装置が保護フィルムカバーの押分部材を押し当てて底膜と保護フィルムを分離させ、保護フィルムが電子機器の表面に貼り付けられるようになっていた。
【０００４】
また、特許文献２には、台座とモバイル装置定位台と保護フィルム貼付装置とからなるモバイル装置用保護フィルム貼付装置が開示されている。この保護フィルム貼付装置は、保護フィルムおよび離型層（カバーフィルム）の他に、定位部、定位合わせユニット、三角形分離器を備えている。定位部は保護フィルムに取り付けられ、三角形分離器は離型層に取り付けられている。モバイル装置定位台にモバイル装置を収容して、保護フィルム貼付装置の定位部により保護フィルムの位置を固定してから、三角形分離器をモバイル装置の貼り付け面に寄りつけてスライドさせることにより、三角形分離器とともに離型層が保護フィルムから離脱していく。ユーザは保護フィルムを貼り付け面の裏面から押さえながら離型層をさらに剥がしていくことで、モバイル装置に保護フィルムを貼り付けることができるようになっている。
【先行技術文献】
【特許文献】
【０００５】
【特許文献１】登録実用新案第３１８２２０２号公報
【特許文献２】登録実用新案第３１８０６９０号公報
【発明の概要】
【発明が解決しようとする課題】
【０００６】
しかしながら、特許文献１に記載のフィルム貼付装置では、保護フィルムとして、保護フィルムと底膜（カバーフィルム）の他に、固定部材、固定薄膜、および押分部材といった特別な構造部材が必要であった。また、特許文献２に記載の貼付装置でも、保護フィルムと離型層（カバーフィルム）の他に、定形部、位置合わせユニット、三角分離器といった特別な構造部材が必要であった。つまり、特許文献１や特許文献２に記載のフィルム貼付装置は、いずれも専用の構造部材を備える特殊なフィルムセットが必須であり、フィルム貼付装置に用いることができるフィルムの種類が限られていた。
【０００７】
また、本発明者らの検討によれば、特許文献１及び２のように仮に専用のフィルムセットを用いない場合には、フィルム貼付装置の構成によっては、保護フィルムに貼り合わせたカバーフィルムの種類に依存して、保護フィルムからカバーフィルムがうまく剥離せず、結果として保護フィルムの貼り付けが適切にできないことがわかった。すなわち、カバーフィルムの引っ張り強さ、いわゆるコシの強さによっては、カバーフィルムが折れ曲がるなどして適切に剥離させることができない場合があった。そこで、本発明者らは、市販されるいかなるフィルムを用いた場合でも、簡易かつ確実な保護フィルムの貼り付けが可能なフィルム貼付装置、フィルム貼付装置において実現するフィルムの貼り付け方法について鋭意検討を重ね、本願発明に想到したものである。
【０００８】
本発明はこのような課題に鑑みてなされたものであり、その目的は、フィルムの種類によらずに、簡易かつ確実に保護フィルムを貼り付けることができるフィルム貼付装置、フィルム貼付方法及びフィルムセットを提供することことにある。
【課題を解決するための手段】
【０００９】
上記課題を解決するため、本発明のフィルム貼付装置は、保護フィルムとカバーフィルムとを貼り合わせたフィルムセットから、前記カバーフィルムを剥離して前記保護フィルムを前記電子機器の貼付面に貼付するフィルム貼付装置であって、前記電子機器を収容する収容部と、前記収容部の一端側から他端側まで移動して前記電子機器の前記貼付面に前記保護フィルムを貼付する貼付ユニットと、前記保護フィルムの貼付時に、前記一端側における前記保護フィルムの端部を保持する仮固定部と、を備える。前記貼付ユニットは、前記保護フィルムを前記電子機器の前記貼付面に押圧して貼付するローラと、前記ローラに隣接して設けられ、前記ローラとの間で前記フィルムセットを挟持して、前記一端側における前記カバーフィルムの端部が牽引されることで、前記フィルムセットから前記カバーフィルムを剥離させるシャフトと、前記一端側における前記カバーフィルムの端部が牽引される際に、前記一端側から前記他端側までの移動をガイドするガイド部と、を備える。
【００１０】
以上の本発明によれば、保護フィルムの端部を仮固定部により保持させた状態で、カバーフィルムの端部を牽引すると、シャフトに牽引力が作用して貼付ユニットがスライド移動し、ローラが保護フィルムを電子機器の貼付面に押圧しながら摺動することにより、保護フィルムを電子機器の貼付面へ貼付することができる。本発明は、従来のように貼付ユニットに力を掛けて貼付ユニットをスライドさせることで保護フィルムを貼付面に貼付するのではなく、剥離させるカバーフィルムを牽引することで貼付ユニットがスライド移動する点に特徴がある。カバーフィルムを牽引するだけで貼付ユニットに移動させる力を働かせることができるので、カバーフィルムの種類に依存せず、どのようなカバーフィルムであっても電子機器の貼付面に対して保護フィルムを確実に貼付することができる。
【００１１】
好ましい態様では、前記貼付ユニットは、前記一端側において、前記フィルムセットを前記ローラと前記シャフトとの間に挟持させるセット位置と、前記電子機器の前記貼付面へ前記保護フィルムを貼付させる貼付位置と、の間を回動可能に構成され、前記セット位置において、前記ローラと前記シャフトとにより挟持された前記カバーフィルムの端部が牽引されることで、前記セット位置から前記貼付位置へ回動するように構成される。
【００１２】
上記好ましい態様によれば、貼付ユニットがセット位置と貼付位置とを回転移動する。保護フィルムを貼付面に貼付させる場合、貼付面側に保護フィルムの粘着層が形成されたカバーフィルム側を向け、その状態からカバーフィルムを湾曲させて牽引する必要がある。すなわち、剥離させたいカバーフィルムが保護フィルムと貼付面との間に挟まれた状態になるので、剥離開始時の位置関係からカバーフィルム端部を剥離させることが難しい。しかしながら、本態様では、セット位置において、カバーフィルムが貼付面と保護フィルムとの間に介在させない状態を作ることができる。したがって、剥離開始時の位置関係において、カバーフィルムの端部を容易に牽引することができるようになり、保護フィルムからカバーフィルムの剥離をスムーズに行うことができるようになる。
【００１３】
好ましい態様では、前記仮固定部は、前記セット位置と前記貼付位置との間を回動可能に構成され、前記ローラと前記シャフトとにより挟持された前記カバーフィルムの端部が牽引されることで、前記セット位置から前記貼付位置へ回動するように構成される。
【００１４】
この態様では、仮固定部においても、カバーフィルムの牽引により、セット位置から貼付位置へ移動させることができる。したがって、セット位置においてカバーフィルムが貼付面と保護フィルムとの間に介在させない状態から、貼付位置において剥離させたいカバーフィルムを保護フィルムと貼付面との間に挟まれた状態への移行をスムーズに行うことができる。
【００１５】
好ましい態様では、前記仮固定部は、前記一端側において前記ローラと着脱自在に係合する係合部を備え、前記係合部は、前記貼付ユニットが前記貼付位置から前記セット位置に回動する際に前記ローラと係合するように構成され、前記セット位置において、前記ローラと前記シャフトとにより挟持された前記カバーフィルムの端部が牽引されると、係合した前記ローラを回動させた後、前記貼付位置において前記ローラとの係合が解除されるように構成される。
【００１６】
この態様では、セット位置から貼付位置へ移動する際に、仮固定部の係合部が貼付ユニットのローラに係合しているので、貼付ユニットと仮固定部とは、ともに回動する。貼付ユニットと仮固定部は、カバーフィルムの端部が牽引されることにより、貼付位置に移動した後、係合部のローラへの係合は解除される。これにより、セット位置から貼付位置へ移動させるまでの局面においては、貼付ユニットと仮固定部がともに移動することで、牽引されるカバーフィルム及び仮固定部に保持された保護フィルムに一定のテンションを与えることができる。また、貼付位置へ移動した後は、貼付ユニットをスライド移動へスムーズに導くことができる。
【００１７】
好ましい態様では、前記仮固定部は、前記貼付位置において、前記収容部との間に前記フィルムセットを位置決めする位置決め部を備える。
この態様では、仮固定部にフィルムセットの位置決めを行う手段が設けられていることで、貼付ユニットが電子機器の貼付面に対して保護フィルムを貼付するに当たって、貼付面の正確な位置へ貼付することが可能になる。
【００１８】
好ましい態様では、前記貼付ユニットは、前記ローラ及び前記シャフトの両端を保持するとともに、前記ガイド部が形成された一対のサイドパネルを備え、前記ガイド部は、前記一端側における前記貼付ユニットの回動と前記一端側から前記他端側への移動をガイドする第１ガイドピンと、前記貼付位置における貼付ユニットの回動を規制する第２ガイドピンと、を備え、前記収容部は、前記一端側から前記他端側に向かって、前記第１及び第２ガイドピンがそれぞれ係合する第１及び第２の溝を備える。
【００１９】
この態様では、貼付ユニットに設けられた第１ガイドピンにより、セット位置から貼付位置への貼付ユニットの移動と、貼付位置からのスライド移動とを可能にし、第２ガイドピンにより、貼付ユニットのスライド移動時における回動を規制することで、貼付面にローラを確実に押さえつけることが可能になる。
【００２０】
好ましい態様では、前記シャフトは、棒状部材からなり、前記サイドパネルに対して着脱自在に構成される。
この態様では、シャフトをサイドパネルに対して着脱自在に構成したことにより、フィルムセットを、ローラとシャフトとの間に挟持させることを容易に行うことができるようになる。
【００２１】
また、本発明は、上述したフィルム貼付装置を用いて行うフィルム貼付方法としても捉えることが可能であり、このフィルム貼付方法は、前記仮固定部に前記保護フィルムを位置決めして保持させるステップと、前記ローラと前記シャフトとの間に前記フィルムセットを挟持させるステップと、前記カバーフィルムの前記牽引により、前記貼付ユニットを前記一端側から前記他端側まで移動させることで、前記ローラにより前記電子機器の貼付面に前記保護フィルムを貼付させるステップと、を実行する。
【００２２】
この態様によれば、保護フィルムの端部が仮固定部により保持された状態で、カバーフィルムの端部を牽引するという簡易な方法により、貼付ユニットをスライド移動させながら、ローラにより保護フィルムの貼付面への貼付を行うことができる。このような本発明によれば、カバーフィルムの種類に依存せず、どのようなカバーフィルムであっても電子機器の貼付面に対して保護フィルムを確実に貼付することができる。
【００２３】
好ましい態様では、前記仮固定部に前記保護フィルムを位置決めして保持させるステップと、前記ローラと前記シャフトとの間に前記フィルムセットを挟持させるステップと、前記セット位置において、前記ローラと前記シャフトとにより前記略平行に挟持された前記カバーフィルムの端部を牽引し、前記貼付ユニットを前記セット位置から前記貼付位置へ回動させるステップ、前記カバーフィルムの端部を牽引することで、前記貼付ユニットを前記一端側から前記他端側まで移動させ、前記ローラにより電子機器の貼付面に保護フィルムを貼付させるステップと、を実行する。
【００２４】
本態様では、セット位置において、カバーフィルムが貼付面と保護フィルムとの間に介在させない状態になるので、剥離開始時の位置関係において、カバーフィルムの端部を容易に牽引することができるようになり、保護フィルムからカバーフィルムの剥離をスムーズに行うことができるようになる。
【００２５】
また、本発明は、上述したフィルム貼付装置に用いるフィルムセットとしても捉えることが可能であり、このフィルムセットは、前記保護フィルムと前記カバーフィルムとを貼り合わせてなり、前記カバーフィルムは、少なくとも前記一端側において前記保護フィルムと重ならない余剰領域を備え、前記余剰領域には、前記仮固定部と前記収容部との間で前記電子機器に対する位置決めを行う位置決め穴が形成される。
【００２６】
この態様では、カバーフィルムに位置決め穴を形成することで貼付ユニットにより、電子機器の貼付面に保護フィルムが貼付される際に、貼付面の正確な位置へ貼付することが可能になる。
【００２７】
好ましい態様では、前記カバーフィルムは、前記保護フィルムと当接する当接フィルムと、前記保護フィルムとは当接せず着脱自在に取り付けられる取付けフィルムと、からなり、前記余剰領域は、前記取付けフィルムに形成される。
【００２８】
この態様では、カバーフィルムを、当接フィルムと着脱自在な取付けフィルムとに分けて構成することにより、例えば、市販のフィルムセットに対して取付けフィルムを貼り付けることで、本発明の装置及び方法を実現することができるようになる。
【発明の効果】
【００２９】
本発明によれば、フィルムの種類によらずに、簡易かつ確実に保護フィルムを電子機器の貼付面に貼り付けることができる。
【図面の簡単な説明】
【００３０】
【図１】本発明の実施形態に係るフィルム貼付装置の全体構成を示す斜視図である。
【図２】本発明の実施形態に係るフィルム貼付装置の全体構成を詳細に示す分解斜視図である。
【図３】本発明の実施形態に係るフィルム貼付装置における貼付ユニットの回転及びスライド構成を示す図である。
【図４】本発明の実施形態に係るフィルムセットの構成を示す模式図である。
【図５】本発明の実施形態に係るフィルムセットの他の構成を示す模式図である。
【図６】本発明の実施形態に係るフィルム貼付装置におけるフィルムセットの設置ステップを示す図である。
【図７】本発明の実施形態に係るフィルム貼付装置におけるフィルムセットの位置決めステップを示す図である。
【図８】本発明の実施形態に係るフィルム貼付装置におけるフィルムセットの設置ステップを示す図である。
【図９】本発明の実施形態に係るフィルム貼付装置におけるフィルムセットの設置ステップを示す図である。
【図１０】本発明の実施形態に係るフィルム貼付装置におけるフィルムセットの設置ステップを示す図である。
【図１１】本発明の実施形態に係るフィルム貼付装置におけるフィルムセットの設置ステップを示す図である。
【図１２】本発明の実施形態に係るフィルム貼付装置における保護フィルムの貼付ステップを示す図である。
【図１３】本発明の実施形態に係るフィルム貼付装置における保護フィルムの貼付ステップを示す図である。
【図１４】本発明の実施形態に係るフィルム貼付装置における保護フィルムを貼付した状態を示す図である。
【発明を実施するための形態】
【００３１】
以下、添付図面を参照しながら本発明の実施の形態（以下、「本実施形態」という。）について説明する。説明の理解を容易にするため、各図面において同一の構成要素に対しては可能な限り同一の符号を付して、重複する説明は省略する。
【００３２】
［１．構成］
図１に本実施形態に係るフィルム貼付装置の全体構成を示し、図２にフィルム貼付装置の詳細な構成を示す。図１に示されるように、本実施形態に係るフィルム貼付装置１０とフィルムセット１００は、保護フィルム１０１とカバーフィルム１０２とを貼り合わせた状態から、カバーフィルム１０２を剥離して保護フィルム１０１を、スマートフォンに代表される携帯電話Ｍの貼付面に貼付するものである。なお、本実施形態において、電子機器の例として携帯電話を用いるが、本発明にいう電子機器としては携帯電話に限らず、タブレット型の端末、ＰＤＡなど貼付面を有し、保護フィルムを貼付する対象となり得るものは広く含まれる。
【００３３】
［１−１．フィルム貼付装置の全体構成］
図１に示されるように、フィルム貼付装置１０は、電子機器を収容する収容部２０と、スライド移動して携帯電話Ｍの貼付面に保護フィルムを貼付する貼付ユニット３０と、保護フィルムの端部を保持する仮固定部４０と、を備える。
【００３４】
図２に示されるように、収容部２０は、平面形状が方形の平板状で、インナーボックス２１と、アウターボックス２２と、から構成される。収容部２０は、例えば、ＡＢＳ樹脂により形成することが好ましい。
【００３５】
インナーボックス２１は、アウターボックス２２に対して着脱自在に構成されている。インナーボックス２１には、携帯電話Ｍ（図１参照）を収容するための方形の窪み２１Ａが形成されている。また、窪み２１Ａの側面の一部には、窪み２１Ａに収容された携帯電話Ｍを、指を挿入することで取り出し易くするための凹部２１Ｂが、窪み２１Ａの外周側に張り出して形成されている。また、窪み２１Ａの底面及び側壁には、連続的に複数のリブ２１Ｃが形成されている。
【００３６】
インナーボックス２１は、携帯電話Ｍを収容することで、保護シートを貼付する携帯電話Ｍの位置決めを行う役割を担うため、収容される携帯電話Ｍとのクリアランスは少ないほうが保護シートの正確な位置決めが可能になる。そのため、インナーボックス２１として、窪み２１Ａのサイズを携帯電話Ｍの種類に応じて複数パターン用意し、アウターボックス２２に対して着脱自在にすることで、収容する携帯電話Ｍの種類に応じて交換可能に構成している。また、携帯電話Ｍとのクリアランスを可能な限り少なくするため、リブ２１Ｃを設けて調整するとともに、凹部２１Ｂにより携帯電話Ｍの取り出し易さを確保している。
【００３７】
インナーボックス２１の窪み２１Ａの側壁２１Ｄ側の開口端には、フィルムセットの位置決め穴に挿入して、携帯電話Ｍに対するフィルムセットの位置決めを行う位置決め部材２１Ｅが設けられている。位置決め部材２１Ｅは、長手方向端部に２つの位置決め突起２１Ｆを備える。
【００３８】
アウターボックス２２には、インナーボックス２１を着脱可能に収容する収容溝２２１と、長尺方向の側壁２２Ｌに形成されるガイド溝２２２が形成されている。ガイド溝２２２は、アウターボックス２２の両側壁にそれぞれ２本ずつ設けられたガイド溝２２２Ａとガイド溝２２２Ｂとからなる。
【００３９】
ガイド溝２２２Ａには、アウターボックス２２の短尺の一方の側壁２２Ｓの端部２２２Ａ１は水平方向に開口しており、他方の側壁２２Ｔの端部２２２Ａ２は垂直方向上向きに開口している。また、ガイド溝２２２Ｂには、側壁２２Ｓ側の端部２２２Ｂ１は水平方向に開口しており、側壁２２Ｔ側の端部２２２Ｂ２は垂直方向上向きに開口している。ガイド溝２２２Ａとガイド溝２２２Ｂとは、後述する貼付ユニット３０を、インナーボックス２１の窪み２１Ａに収容される携帯電話Ｍの上をスライド移動させるガイドになるとともに、端部２２２Ａ１及び端部２２２Ａ２、端部２２２Ｂ１及び端部２２２Ｂ２から貼付ユニット３０を取り付け又は取り外すことが可能な構成になっている。
【００４０】
側壁２２Ｓには、アウターボックス２２からインナーボックス２１を取り出す際に、インナーボックス２１に対して指を掛けるための切欠２２Ｃが形成されている。この切欠２２Ｃは、アウターボックス２２の側壁２２Ｓに設けられており、アウターボックス２２の外周側からインナーボックス２１の側壁２１Ｓを露出させている。
【００４１】
貼付ユニット３０は、ローラ３１と、シャフト３２と、ローラ３１及びシャフト３２の両端部を支持する一対のサイドパネル３３と、一対のサイドパネル３３間に介在するブラケットであってサイドパネル３３の間隔を支持するブラケット３４とを備える。貼付ユニット３０は、ブラケット３４により固定された一対のサイドパネル３３の間で、ローラ３１及びシャフト３２を支持可能に構成されている。
【００４２】
ローラ３１は、保護フィルムを携帯電話Ｍの貼付面に押圧して貼付する手段である。ローラ３１は、ブラケット３４に回動可能に軸支されるローラ軸３１Ａと、筒状でローラ軸３１Ａを周囲から覆う押圧ローラ３１Ｂとからなる。ローラ軸３１Ａは、硬質の材料、例えば、ＰＯＭ樹脂などのプラスチックから構成され、押圧ローラ３１Ｂはシリコン樹脂などの弾性ある素材から構成される。押圧ローラ３１Ｂは、携帯電話Ｍの貼付面に対して保護フィルムを貼付する際に、ローラ軸３１Ａに支持された状態で貼付面に当接し、弾性応力により貼付面を押圧する。
【００４３】
シャフト３２は、ローラ３１に隣接して設けられ、ローラ３１との間でフィルムセット１００を挟持する手段である。シャフト３２は、ローラ軸３１Ａと同様に、硬質の材料、例えば、ＰＯＭ樹脂などのプラスチックから構成される。シャフト３２は、一端３２Ａをサイドパネル３３Ａに軸方向とは垂直の方向に軸支され、他端３２Ｂをサイドパネル３３Ｂに対して着脱自在に保持されるようになっている。
【００４４】
サイドパネル３３は、平面形状が方形の平板状で、サイドパネル３３Ａとサイドパネル３３Ｂとが向かい合って収容部２０を挟むように形成されている。サイドパネル３３の内側の面には、ローラ支持部３３Ｃと、シャフト支持部３３Ｄと、ブラケット取付部３３Ｅと、突起状の第１ガイドピン３３Ｆと、同じく突起状の第２ガイドピン３３Ｇと、がそれぞれ対向して設けられている。
【００４５】
ローラ支持部３３Ｃは、ローラ軸３１Ａの両端部を挟持してローラ３１を軸支するための筒状部材である。シャフト支持部３３Ｄは、ローラ支持部３３Ｃに隣接して形成されている。特に、貼付ユニット３０が、保護フィルムを携帯電話Ｍの貼付面に貼付する場面においては、ローラ支持部３３Ｃの軸とシャフト支持部３３Ｄの軸とが、貼付面と平行になるように設けられている。
【００４６】
シャフト支持部３３Ｄは、上述のとおり、シャフト３２の一端３２Ａを、シャフト３２が開閉可能になるように軸支する３３Ｄ１と、他端３２Ｂをサイドパネル３３Ｂに対して着脱自在に保持する３３Ｄ２とからなる。
【００４７】
ブラケット取付部３３Ｅは、ブラケット３４をサイドパネル３３の内側面にビス止め等の係止手段により固定して、サイドパネル３３Ａと３３Ｂを所定の間隔で保持させるものである。
【００４８】
第１ガイドピン３３Ｆは、上述したアウターボックス２２の側壁に形成されたガイド溝２２２Ａに係合するものである。第１ガイドピン３３Ｆは、サイドパネル３３の頂点近傍に形成されており、貼付ユニット３０を大きく回動させるものである。すなわち、図２の状態において、ローラ支持部３３Ｃとシャフト支持部３３Ｄとは、図中垂直方向に並んで形成されているところ、第１ガイドピン３３Ｆがガイド溝２２２Ａに係合して貼付ユニット３０全体が収容部２０側に回動することで、ローラ支持部３３Ｃとシャフト支持部３３Ｄとが同一の水平平面内で並ぶようになる（図３の貼付位置（ｃ）参照）。
【００４９】
第２ガイドピン３３Ｇは、上述したアウターボックス２２の側壁に形成されたガイド溝２２２Ｂに係合するものである。第２ガイドピン３３Ｇは、シャフト支持部３３Ｄに近接して形成されている。第２ガイドピン３３Ｇは、第１ガイドピン３３Ｆがガイド溝２２２Ａに係合して貼付ユニット３０全体が回動することで、ローラ支持部３３Ｃとシャフト支持部３３Ｄとが図中水平方向に並ぶようになった際に、ガイド溝２２２Ｂに係合するようになっている。第２ガイドピン３３Ｇが、ガイド溝２２２Ｂに係合すると、貼付ユニット３０は、水平方向位置が規制され、この状態においてローラ３１は、携帯電話Ｍの貼付面に当接する位置になる。
【００５０】
なお、第１ガイドピン３３Ｆとガイド溝２２２Ａの係合状態と第２ガイドピン３３Ｇとガイド溝２２２Ｂとの係合状態については、後に詳しく説明する。
【００５１】
仮固定部４０は、保護フィルムの貼付時に、保護フィルムの端部を保持する保持ベース４１と、保持ベース４１を回動自在に支持する取付ホルダ４２とからなる。
【００５２】
保持ベース４１は、保護フィルムの端部を保持する保持面４１Ａと、保持ベース４１の保持面４１Ａを垂直状態から、携帯電話Ｍの貼付面と同一の水平状態まで回動させるためのヒンジ部４１Ｂとを備える。また、保持ベース４１は、貼付ユニット３０の回転に伴って、ローラ軸３１Ａに係合し、または係合を解除される係合片４１Ｃを有する。
【００５３】
取付ホルダ４２は、アウターボックス２２を形成する側壁のうち、短尺の一方の側壁２２Ｓに対向する側壁２２Ｔ側に固定されている。取付ホルダ４２は、側壁２２Ｔ側のアウターボックス２２上の平面にネジ止め等の係止手段により固定される平板部４２Ａと、平板部４２Ａの両側に立ち上がって形成された羽根部４２Ｂとを備える。この羽根部４２Ｂは、両側から保持ベース４１のヒンジ部４１Ｂを軸支する。
【００５４】
［１−２．貼付ユニットの回転及びスライド移動］
続いて、図３を用いて貼付ユニット３０の回転する構成及びスライド移動する構成並びに貼付ユニット３０とともに回転する仮固定部４０の回転する構成について説明する。図３は、貼付ユニット３０がアウターボックス２２に設置された状態で、ガイド溝２２２に係合したガイドピンを軸にして回転遷移する状態を示す図である。すなわち、図３では、貼付ユニット３０のセット位置（ａ）、回動中途状態（ｂ）、貼付位置（ｃ）を示している。
【００５５】
図３に示されるように、貼付ユニット３０の第１ガイドピン３３Ｆは、アウターボックス２２のガイド溝２２２Ａ及び２２２Ｂの開口に対して端部２２２Ａ１から挿入される（図中（ａ）参照）。その後、ガイド溝２２２Ａに沿うことで、貼付ユニット３０が第１ガイドピン３３Ｆを軸に回転する（図中（ｂ）参照）。さらに、端部２２２Ｂ１に第２ガイドピン３３Ｇが挿入され、第２ガイドピン３３Ｇがガイド溝２２２Ｂに規制された状態になる（図中（ｃ）参照）。なお、図中（ａ）の位置を貼付ユニット３０のセット位置いい、図中（ｃ）の位置を貼付ユニット３０の貼付位置ということがある。
【００５６】
ガイド溝２２２Ａは、図３に示されるように、端部２２２Ａ１から端部２２２Ａ２に向かって全体が側面視でＬ字状に形成される。具体的には、端部２２２Ａ１から垂直方向に溝が形成された後、円弧状に湾曲した回転部２２２Ａ３で、水平方向に向きを変え、端部２２２Ａ２に至る。
【００５７】
一方、貼付ユニット３０のサイドパネル３３に形成された第１ガイドピン３３Ｆは、ガイドボス３３Ｆ１と、ピン３３Ｆ２とから構成されている。図３に示されるように、回転部２２２Ａ３においては、ガイドボス３３Ｆ１がローラ軸となってピン３３Ｆ２をガイド溝２２２Ａに沿って円弧状に移動させる。
【００５８】
また、ガイド溝２２２Ｂは、全体が側面視でＬ字状に形成され、ガイド溝２２２Ａの端部２２２Ａ１から図中右方向にずれた位置に端部２２２Ｂ１が形成されている。端部２２２Ｂ１は、第２ガイドピン３３Ｇより広径で、第２ガイドピン３３Ｇを受け入れ易くなっている。
【００５９】
また、図３には仮固定部４０が示されているが、貼付ユニット３０に伴って回転する仮固定部４０の保持ベース４１は、ヒンジ部４１Ｂをローラ軸とするものである。
【００６０】
図３には、仮想線により、ローラ３１の回転軌跡３１Ｒと、ヒンジ部４１Ｂを軸とした仮固定部４０の回転軌跡４０Ｒとを示している。回転軌跡４０Ｒは、ヒンジ部４１Ｂがローラ軸となっているため、回転軌跡は真円である。一方、回転軌跡３１Ｒは、第１ガイドピン３３Ｆが回転部２２２Ａ３によって回転させられることにより、回転するとともに図中矢印Ｄで示す貼付ユニット３０のスライド方向に向かって楕円状の軌跡を描いて移動するものである。また、このとき、仮固定部４０の保持ベース４１に形成された係合片４１Ｃは、図３（ａ）及び（ｂ）の位置においてローラ３１のローラ軸３１Ａに係合した状態になっているが、回転軌跡３１Ｒが緩やかになる位置において、係合片４１Ｃの係合は解除され、ローラ３１は、スライド方向に向かってリリースされる構成である。
【００６１】
［２．フィルムセットの構成］
図４に本実施形態のフィルムセットの全体構成を示す。本実施形態のフィルムセット１００は、図４に示されるように、保護フィルム１０１とカバーフィルム１０２とから構成される。保護フィルム１０１は、一面に粘着層を有するフィルムであって、携帯電話Ｍの貼付面に貼付されるものである。一方、カバーフィルム１０２は、保護フィルム１０１の粘着層と貼り合わされて、保護フィルム１０１が貼付されるまでの間、保護フィルム１０１の粘着層をカバーする役割を担うものである。
【００６２】
カバーフィルム１０２は、一端に保護フィルム１０１と重ならない余剰領域１０２Ｘが形成されている。余剰領域１０２Ｘには、仮固定部４０とインナーボックス２１との間で、フィルムセット１００を携帯電話Ｍに対して位置決めする位置決め穴１０３が複数形成されている。この位置決め穴１０３は、インナーボックス２１に設けられた位置決め部材２１Ｅにおける位置決め突起２１Ｆと一致する間隔で形成されている。
【００６３】
図５は、本実施形態のフィルムセット１００の他の態様を示すフィルムセット１００Ａである。図５に示すように、フィルムセット１００Ａは、カバーフィルム１０２Ａが、保護フィルム１０１と当接する当接フィルム１０２ＡＡと、保護フィルム１０１とは当接せず着脱自在に取り付けられる取付けフィルム１０２ＡＢと、からなる。取付けフィルム１０２ＡＢには、余剰領域１０２ＸＡが形成されている。すなわち、取付けフィルム１０２ＡＢは、端部に糊付け面１０２ＡＤを備えており、保護フィルム１０１の携帯電話Ｍへの貼付時に、カバーフィルム１０２Ａの裏面に貼り付けて一体にして用いるものである。取付けフィルム１０２ＡＢには、仮固定部４０とインナーボックス２１との間で、フィルムセット１００を携帯電話Ｍに対して位置決めする位置決め穴１０３が複数形成されている。この位置決め穴１０３は、カバーフィルム１０２と同様に、インナーボックス２１に設けられた位置決め部材２１Ｅにおける位置決め突起２１Ｆと一致する間隔で形成されている。
【００６４】
［３．作用］
以上のような本実施形態のフィルム貼付装置１０の作用について図６〜図１４を参照して説明する。なお、図６〜図１１は、フィルム貼付装置１０にフィルムセット１００を設置する一連の手順を示すものであり、図１２〜図１４は、フィルムセット１００からカバーフィルム１０２を剥離しながら保護フィルム１０１を携帯電話Ｍの貼付面に貼付する一連の手順を示すものである。
【００６５】
［２−１．フィルムセットの設置及び位置決め］
図６は、フィルムセット１００をフィルム貼付装置１０へセットする様子を示す図である。図６に示されるように、フィルム貼付装置１０では、仮固定部４０のヒンジ部４１Ｂを軸として、保持ベース４１を立ち上げた状態において、インナーボックス２１に収容された携帯電話Ｍ上にフィルムセット１００を位置合わせしてセットする。このとき、フィルムセット１００の位置決め穴１０３に、インナーボックス２１に設けられた位置決め部材２１Ｅ（図６において不図示。図２、図３参照。）における位置決め突起２１Ｆを挿入して位置決めを行う。また、このとき、保持ベース４１の保護フィルム１０１の端部を保持する保持面４１Ａには、保護フィルム１０１の端部に貼付される貼付シールＳＬが設置されている。
【００６６】
なお、このとき、貼付ユニット３０は、アウターボックス２２の側壁２２Ｓ側に移動させて待機させた状態になっている。
【００６７】
続いて、図７に示されるように、保持ベース４１を、ヒンジ部４１Ｂを軸として回転させ、保持ベース４１の保持面４１Ａが保護フィルム１０１側に移動する。このとき、貼付シールＳＬを保護フィルム１０１に貼り付けることで、フィルムセット１００の仮固定部４０への位置決め固定が完了する。
【００６８】
次に、図８に示されるように、貼付ユニット３０を、アウターボックス２２の側壁２２Ｓ側から側壁２２Ｔ側へ矢印の向きに移動させる。このとき、貼付ユニット３０の第１ガイドピン３３Ｆ及び第２ガイドピン３３Ｇ（図８において表れず。）は、アウターボックス２２のガイド溝２２２Ａ及び２２２Ｂに係合しており、この第１ガイドピン３３Ｆ及び第２ガイドピン３３Ｇがガイド溝２２２Ａ及び２２２Ｂ内を移動することで、貼付ユニット３０は携帯電話Ｍ上をスライド移動する。図８に示される貼付ユニット３０の位置は、図３に示す（ｃ）の位置である。
【００６９】
続いて、図９に示されるように、貼付ユニット３０が、側壁２２Ｔ側に移動させた後、貼付ユニット３０を回転して起こして、貼付ユニット３０をセット位置とする（図３（ａ）の状態を参照）。このとき、仮固定部４０（図９において不図示。）に位置決め固定されたフィルムセット１００は、貼付ユニット３０の回転に伴って起き上がった状態になる。図９に示される貼付ユニット３０の位置は、図３に示す（ｂ）の位置であり、このとき、貼付ユニット３０のローラ３１のローラ軸３１Ａ（図９において不図示。）に仮固定部４０の係合片４１Ｃが係合した状態になる（（図９において不図示。図３（ｃ）参照）。
【００７０】
貼付ユニット３０をセット位置に移行させた後、図１０に示されるように、シャフト３２の他端３２Ｂをサイドパネル３３Ｂのシャフト支持部３３Ｄから外し、ローラ３１とシャフト３２との間にフィルムセット１００を介在させる。
【００７１】
続いて、図１１に示されるように、シャフト３２をサイドパネル３３Ｂに取り付け、ローラ３１とシャフト３２により、フィルムセット１００を挟持した状態にする。これにより、フィルムセット１００の設置及び位置決めが完了する。
【００７２】
［２−２．カバーフィルムの剥離と保護フィルムの貼付］
図１１及び図１２〜１３を参照して、フィルムセット１００からカバーフィルム１０２を剥離させつつ、保護フィルム１０１を携帯電話Ｍの貼付面に貼付する一連の手順を説明する。
【００７３】
図１１に示される状態から、フィルムセット１００の端部Ｅにおいて、カバーフィルム１０２を指で保持し、アウターボックス２２の側壁２２Ｓ側に牽引する。そうすると、図１２に示されるように、仮固定部４０に固定された保護フィルム１０１の端部と、カバーフィルム１０２とが逆方向に牽引されるため、シャフトに図１２中の矢印方向の力が生じる。これにより、貼付ユニット３０は、セット位置から貼付位置に向かって回転を開始する。
【００７４】
このときの貼付ユニット３０の回転構成は、図３において（ａ）から（ｃ）への変位として示したものである。すなわち、図１３に示される状態は、図３における（ｃ）のように、貼付ユニット３０が回転を終え、第２ガイドピン３３Ｇがガイド溝２２２Ｂに挿入され（図１３において不図示）、ローラ３１が携帯電話Ｍの貼付面に当接した状態である。また、仮固定部４０もフィルムセット１００が牽引される力に伴って、貼付ユニット３０とともに回転する。このときの回転軌跡は、図３に示した軌跡４０Ｒである。
【００７５】
図１３に示されるように、この状態において、カバーフィルム１０２の端部Ｅを図中矢印方向に牽引されると、貼付ユニット３０は、この牽引力に従って、図中矢印方向である側壁２２Ｓ側にスライド移動する。このとき、押圧ローラ３１Ｂは、ローラ軸３１Ａに支持された状態で携帯電話Ｍの貼付面に当接し、弾性応力により貼付面を押圧する。
【００７６】
図１４は、カバーフィルム１０２の端部を牽引し切ることで、貼付ユニット３０がアウターボックス２２の側壁２２Ｓまで移動するとともに、保護フィルム１０１の携帯電話Ｍの貼付面への貼付が完了し、カバーフィルム１０２がローラ３１及びシャフト３２から解放された状態を示す。
【００７７】
この状態では、保護フィルム１０１の貼付は完了しているので、貼付シールＳＬを剥がしてとともに、携帯電話Ｍを仮固定部４０への固定を解除するとともに、窪み２１Ａに収容された携帯電話Ｍを、凹部２１Ｂに指を挿入することで取り出す。これにより、貼付ステップは完了する。
【００７８】
［３．効果］
以上の本実施形態に係るフィルム貼付装置１０によれば、保護フィルム１０１の端部を仮固定部４０により保持させた状態で、カバーフィルム１０２の端部Ｅを牽引すると、シャフト３２に牽引力が作用して貼付ユニット３０がスライド移動し、ローラ３１が保護フィルム１０１を携帯電話Ｍの貼付面に押圧しながら摺動することにより、保護フィルム１０１を携帯電話Ｍの貼付面へ貼付することができる。このようにカバーフィルム１０２を牽引するだけで、貼付ユニット３０をスライド移動させ、ローラ３１により貼付面へ保護フィルム１０１を貼付することができる。
【００７９】
フィルム貼付装置１０は、従来のように貼付ユニットに力を掛けて貼付ユニットをスライドさせることで保護フィルムを貼付面に貼付するのではなく、剥離させるカバーフィルムを牽引する点に特徴がある。カバーフィルム１０２を牽引することで貼付ユニット３０を移動させる力を働かせることで、カバーフィルム１０２の種類に依存せず、どのようなフィルムセット１００であっても携帯電話Ｍの貼付面に対して保護フィルム１０１を確実に貼付することができる。
【００８０】
貼付ユニット３０がセット位置と貼付位置とを回転移動する（図３の（ａ）及び（ｃ）参照）。保護フィルム１０１を貼付面に貼付させる場合、貼付面側に保護フィルム１０１の粘着層が形成されたカバーフィルム１０２側を向け、その状態からカバーフィルム１０２を湾曲させて牽引する必要がある。すなわち、剥離させたいカバーフィルム１０２が保護フィルム１０１と貼付面との間に挟まれた状態になるので、剥離開始時の位置関係からカバーフィルム１０２端部を剥離させることが難しい。しかしながら、本態様では、セット位置において、カバーフィルム１０２が貼付面と保護フィルム１０１との間に介在させない状態を作ることができる。したがって、剥離開始時の位置関係において、カバーフィルム１０２の端部Ｅを容易に牽引することができるようになり、保護フィルム１０１からカバーフィルム１０２の剥離をスムーズに行うことができるようになる。
【００８１】
フィルム貼付装置１０では、また、仮固定部４０においても、カバーフィルム１０２の牽引により、セット位置から貼付位置へ移動させることができる。したがって、セット位置においてカバーフィルム１０２が携帯電話Ｍの貼付面と保護フィルム１０１との間に介在させない状態から、貼付位置における剥離させたいカバーフィルム１０２を保護フィルム１０１と貼付面との間に挟まれた状態への移行をスムーズに行うことができる。
【００８２】
また、セット位置から貼付位置へ移動する際に、仮固定部４０の保持ベース４１に形成された係合片４１Ｃが貼付ユニット３０のローラ軸３１Ａに係合しているので、貼付ユニット３０と仮固定部４０とはカバーフィルム１０２の端部が牽引されることにより、ともに回動する。貼付ユニット３０と仮固定部４０は、貼付位置に移動した後、係合片４１Ｃのローラ軸３１Ａへの係合は解除される。これにより、セット位置から貼付位置へ移動させるまでの局面においては、貼付ユニット３０と仮固定部４０がともに移動することで、牽引されるカバーフィルム１０２及び仮固定部４０に保持された保護フィルム１０１に一定のテンションを与えることができる。また、貼付位置へ移動した後は、貼付ユニット３０をスライド移動へスムーズに導くことができる。
【００８３】
また、仮固定部４０には、貼付位置において、インナーボックス２１との間にフィルムセット１００を位置決めする位置決め部材２１Ｅが設けられている。これにより、貼付ユニット３０が携帯電話Ｍの貼付面に対して保護フィルム１０１を貼付するに当たって、貼付面の正確な位置へ貼付することが可能になる。
【００８４】
貼付ユニット３０のサイドパネル３３に設けた第１ガイドピン３３Ｆにより、セット位置から貼付位置への貼付ユニット３０の移動と、貼付位置からのスライド移動とを可能にし、第２ガイドピン３３Ｇにより、貼付ユニット３０のスライド移動時における回動を規制することで、携帯電話Ｍの貼付面にローラ３１を確実に押さえつけることが可能になる。
【００８５】
また、本実施形態のフィルムセット１００によれば、カバーフィルム１０２に位置決め穴１０３を形成することで貼付ユニット３０によって電子機器Ｍの貼付面に保護フィルム１０１を貼付される際に、保護フィルム１０１の貼付面への正確な位置決めが可能になる。
【００８６】
また、フィルムセット１００の他の例であるフィルムセット１００Ａでは、カバーフィルム１０２Ａを、当接フィルム１０２ＡＡと着脱自在な取付けフィルム１０２ＡＢとに分けて構成することにより、例えば、市販のフィルムセットに対して取付けフィルム１０２ＡＢを貼り付けることで、フィルム貼付装置１０により携帯電話へのフィルムの貼付を行うことができる。
【００８７】
さらに、本実施形態のフィルム貼付装置１０を用いて行うフィルム貼付方法によれば、保護フィルム１０１の端部が仮固定部４０により保持された状態で、カバーフィルム１０２の端部Ｅを牽引するという簡易な方法により、貼付ユニット３０をスライド移動させながら、ローラ３１により保護フィルム１０１を携帯電話Ｍの貼付面への貼付を行うことができる。このような本発明によれば、カバーフィルムの種類に依存せず、どのようなカバーフィルムであっても電子機器の貼付面に対して保護フィルムを確実に貼付することができる。
【００８８】
また、セット位置において、カバーフィルム１０２が携帯電話Ｍの貼付面と保護フィルム１０１との間に介在させない状態になるので、剥離開始時の位置関係において、カバーフィルム１０２の端部Ｅを容易に牽引することができるようになる。従って、保護フィルム１０１からカバーフィルム１０２の剥離をスムーズに行うことができるようになる。
【００８９】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。例えば、前述した各具体例が備える各要素およびその配置、材料、条件、形状、サイズなどは、例示したものに限定されるわけではなく適宜変更することができる。また、前述した各実施の形態が備える各要素は、技術的に可能な限りにおいて組み合わせることができ、これらを組み合わせたものも本発明の特徴を含む限り本発明の範囲に包含される。
【符号の説明】
【００９０】
１０…フィルム貼付装置、２０…収容部、２１…インナーボックス、２１Ａ…窪み、２１Ｂ…凹部、２１Ｃ…リブ、２１Ｄ…側壁、２１Ｅ…位置決め部材、２１Ｆ…位置決め突起、２１Ｓ，２１Ｔ，２２Ｌ，２２Ｓ，２２Ｔ…側壁、２２…アウターボックス、２２Ｃ…切欠、２２１…収容溝、２２２，２２２Ａ…ガイド溝、２２２Ａ１，２２２Ａ２…端部、２２２Ａ３…回転部、２２２Ｂ…ガイド溝、２２２Ｂ１，２２２Ｂ２…端部、３０…貼付ユニット、３１…ローラ、３１Ａ…ローラ軸、３１Ｂ…押圧ローラ、３２…シャフト、３３，３３Ａ，３３Ｂ…サイドパネル、３３Ｃ…ローラ支持部、３３Ｄ…シャフト支持部、３３Ｅ…ブラケット取付部、３３Ｆ…第１ガイドピン、３３Ｆ１…ガイドボス、３３Ｆ２…ピン、３３Ｇ…第２ガイドピン、３４…ブラケット、４０…仮固定部、４１…保持ベース、４１Ａ…保持面、４１Ｂ…ヒンジ部、４１Ｃ…係合片、４２…取付ホルダ、４２Ａ…平板部、４２Ｂ…羽根部、１００，１００Ａ…フィルムセット、１０１…保護フィルム、１０２，１０２Ａ…カバーフィルム、１０２ＡＡ…当接フィルム、１０２ＡＢ…取付けフィルム、１０２Ｘ，１０２ＸＡ…余剰領域、１０３…位置決め穴、Ｅ…端部、Ｍ…携帯電話、ＳＬ…貼付シール
【図１】
2016049742.tif 000003
【図２】
2016049742.tif 000004
【図３】
2016049742.tif 000005
【図４】
2016049742.tif 000006
【図５】
2016049742.tif 000007
【図６】
2016049742.tif 000008
【図７】
2016049742.tif 000009
【図８】
2016049742.tif 000010
【図９】
2016049742.tif 000011
【図１０】
2016049742.tif 000012
【図１１】
2016049742.tif 000013
【図１２】
2016049742.tif 000014
【図１３】
2016049742.tif 000015
【図１４】
2016049742.tif 000016